(57)【要約】【課題】  画像形成装置のアドレス入力の煩わしさを解消して、簡易な操作で携帯端末から画像形成装置に印刷等のジョブの実行を指示することができる画像形成システム等を提供する。【解決手段】  画像形成装置１と携帯端末３とを備えている。画像形成装置１は、アドレス情報を変換した二次元コード５を表示装置１３に表示する。ユーザは、携帯端末３の撮影手段３１により、表示された二次元コード５を撮影する。撮影された二次元コードは、アドレス情報に自動的に変換され、この変換されたアドレスに、携帯端末からアクセスし、ジョブを送信する。従って、ユーザによる画像形成装置のアドレスの携帯端末への手動入力は不要となる。【選択図】    図４
2007034443.tif 000002
【特許請求の範囲】
【請求項１】
画像形成装置と携帯端末とを備えた画像形成システムであって、
前記画像形成装置は、
画像形成装置のアドレス情報を変換した二次元コードを出力する二次元コード出力手段と、
前記出力された二次元コードの画像を撮影し、二次元コードから逆変換されたアドレス情報に基づいてアクセスしてきた携帯端末から送信されるジョブを実行するジョブ実行手段と、
を備え、
前記携帯端末は、前記二次元コードの画像を撮影する撮影手段と、
撮影された二次元コードをアドレス情報に逆変換する逆変換手段と、
逆変換により求められた画像形成装置のアドレスにアクセスしてジョブを送信する通信手段と、
を備えたことを特徴とする画像形成システム。
【請求項２】
前記画像形成装置の二次元コード出力手段は、二次元コードを表示する表示手段である請求項１に記載の画像形成システム。
【請求項３】
前記画像形成装置は、
ユーザの認証データを反映したアドレス情報を生成するアドレス情報生成手段と、
前記生成されたアドレス情報を二次元コードに変換する二次元コード変換手段と、
前記二次元コードから逆変換されたアドレス情報に基づいて、携帯端末からアクセスがあったときは、携帯端末からの前記アドレス情報に反映されている認証データを基に認証を行う認証手段と、
をさらに備えている請求項１に記載の画像形成システム。
【請求項４】
前記二次元コードはＱＲコードである請求項１に記載の画像形成システム。
【請求項５】
画像形成装置のアドレス情報を変換した二次元コードを出力する二次元コード出力手段と、
前記出力された二次元コードの画像を撮影し、二次元コードから逆変換されたアドレス情報に基づいてアクセスしてきた携帯端末から送信されるジョブを実行するジョブ実行手段と、
を備えたことを特徴とする画像形成装置。
【請求項６】
二次元コード出力手段は、二次元コードを表示する表示手段である請求項５に記載の画像形成装置。
【請求項７】
ユーザの認証データを反映したアドレス情報を生成するアドレス情報生成手段と、
前記生成されたアドレス情報を二次元コードに変換する二次元コード変換手段と、
前記二次元コードから逆変換されたアドレス情報に基づいて、携帯端末からアクセスがあったときは、携帯端末からの前記アドレス情報に反映されている認証データを基に認証を行う認証手段と、
をさらに備えている請求項５に記載の画像形成装置。
【請求項８】
前記二次元コードはＱＲコードである請求項５に記載の画像形成装置。
【請求項９】
アドレス情報を変換した二次元コードを出力するステップと、
前記出力された二次元コードの画像を携帯端末で撮影するステップと、
撮影された二次元コードをアドレス情報に逆変換するステップと、
逆変換により求められた画像形成装置のアドレスにアクセスしてジョブを送信するステップと、
携帯端末から送信されてきた前記ジョブを実行するステップと、
を含む画像形成処理方法。
【請求項１０】
二次元コード出力ステップは、二次元コードを表示手段に表示させるステップである請求項９に記載の画像形成処理方法。
【請求項１１】
ユーザの認証データを反映したアドレス情報を生成するステップと、
前記生成されたアドレス情報を二次元コードに変換するステップと、
前記二次元コードから変換されたアドレス情報に基づいて、携帯端末からアクセスがあったときは、携帯端末からの前記アドレス情報に反映されている認証データを基に認証を行うステップと、
を、さらに含む請求項９に記載の画像形成処理方法。
【請求項１２】
前記二次元コードはＱＲコードである請求項９に記載の画像形成処理方法。
【発明の詳細な説明】
【技術分野】
【０００１】
本発明は、例えば携帯電話等の携帯端末から送信したジョブを画像形成装置に実行させる画像形成システム、及びこのシステムに用いられる画像形成装置、並びに画像形成処理方法に関する。
【背景技術】
【０００２】
画像形成装置の一つであるプリンタは、昨今では、ネットワークを介して複数のユーザにより共用される形態が多くなってきている。
【０００３】
また、携帯電話等の携帯端末の普及拡大により、携帯電話からネットワークを介してプリンタへ印刷データを送信し印刷を行いたいという要求が高まってきている。
【０００４】
しかし、携帯端末からネットワークを介してプリンタに印刷を指示するためには、プリンタのネットワークアドレスを携帯端末に入力しなければならないが、手作業によりその入力を行うのは面倒であった。
【０００５】
なお、特許文献１には、印刷すべき情報が存在するＵＲＬ（Uniform Resource Locator）をプリンタに指定しておき、プリンタから指定されたＵＲＬにアクセスして前記印刷すべき情報を入手し、プリントする印刷システムが開示されている。
【０００６】
また、特許文献２には、情報提供サーバから詳細情報に対応するＱＲコードの割り当てを受けたコンテンツサーバが、このＱＲコードを雑誌等に印刷し、この雑誌を購入したユーザが、ＱＲコードリーダーで読み取ったＱＲコードをプリンタを介して情報提供サーバに送信することにより、ＱＲコードに対応する情報が情報提供サーバからプリンタに送られ、プリンタから印刷されるシステムが開示されている。
【０００７】
また、特許文献３には、ＱＲコードが付与された配付資料をスキャンして画像を読み込むと共に、読み込んだ画像からＱＲコードを探して解析することによりインデックスデータを抽出し、このインデックスデータに基づいてデータベースを検索することにより、配付資料に対応する画像データを取得して印刷する印刷装置が開示されている。
【特許文献１】特開平１０−２０７６５８号公報
【特許文献２】特開２００１−３１８８８６号公報
【特許文献３】特開２００４−２２７２４７号公報
【発明の開示】
【発明が解決しようとする課題】
【０００８】
しかし、上記の各公報に開示された技術は、携帯端末からプリンタに印刷データを送信して印刷を行うものではなく、このため、プリンタのアドレス入力の煩わしさを解消して、簡易な操作で携帯端末から画像形成装置に印刷等を指示することができるシステムの実現の要求に対して、これを解決する手段を与えることはできなかった。
【０００９】
この発明は、このような事情に鑑みてなされたものであって、プリンタ等の画像形成装置のアドレス入力の煩わしさを解消して、簡易な操作で携帯端末から画像形成装置に印刷等のジョブの実行を指示することができる画像形成システムを提供し、さらにこのシステムに用いられる画像形成装置及び画像形成処理方法の提供を課題とする。
【課題を解決するための手段】
【００１０】
前記課題は以下の手段によって解決される。
（１）画像形成装置と携帯端末とを備えた画像形成システムであって、前記画像形成装置は、画像形成装置のアドレス情報を変換した二次元コードを出力する二次元コード出力手段と、前記出力された二次元コードの画像を撮影し、二次元コードから逆変換されたアドレス情報に基づいてアクセスしてきた携帯端末から送信されるジョブを実行するジョブ実行手段と、を備え、前記携帯端末は、前記二次元コードの画像を撮影する撮影手段と、撮影された二次元コードをアドレス情報に逆変換する逆変換手段と、逆変換により求められた画像形成装置のアドレスにアクセスしてジョブを送信する通信手段と、を備えたことを特徴とする画像形成システム。
（２）前記画像形成装置の二次元コード出力手段は、二次元コードを表示する表示手段である前項１に記載の画像形成システム。
（３）前記画像形成装置は、ユーザの認証データを反映したアドレス情報を生成するアドレス情報生成手段と、前記生成されたアドレス情報を二次元コードに変換する二次元コード変換手段と、前記二次元コードから逆変換されたアドレス情報に基づいて、携帯端末からアクセスがあったときは、携帯端末からの前記アドレス情報に反映されている認証データを基に認証を行う認証手段と、をさらに備えている前項１に記載の画像形成システム。
（４）前記二次元コードはＱＲコードである前項１に記載の画像形成システム。
（５）画像形成装置のアドレス情報を変換した二次元コードを出力する二次元コード出力手段と、前記出力された二次元コードの画像を撮影し、二次元コードから逆変換されたアドレス情報に基づいてアクセスしてきた携帯端末から送信されるジョブを実行するジョブ実行手段と、を備えたことを特徴とする画像形成装置。
（６）二次元コード出力手段は、二次元コードを表示する表示手段である前項５に記載の画像形成装置。
（７）ユーザの認証データを反映したアドレス情報を生成するアドレス情報生成手段と、前記生成されたアドレス情報を二次元コードに変換する二次元コード変換手段と、前記二次元コードから逆変換されたアドレス情報に基づいて、携帯端末からアクセスがあったときは、携帯端末からの前記アドレス情報に反映されている認証データを基に認証を行う認証手段と、をさらに備えている前項５に記載の画像形成装置。
（８）前記二次元コードはＱＲコードである前項５に記載の画像形成装置。
（９）アドレス情報を変換した二次元コードを出力するステップと、前記出力された二次元コードの画像を携帯端末で撮影するステップと、撮影された二次元コードをアドレス情報に逆変換するステップと、逆変換により求められた画像形成装置のアドレスにアクセスしてジョブを送信するステップと、携帯端末から送信されてきた前記ジョブを実行するステップと、を含む画像形成処理方法。
（１０）二次元コード出力ステップは、二次元コードを表示手段に表示させるステップである前項９に記載の画像形成処理方法。
（１１）ユーザの認証データを反映したアドレス情報を生成するステップと、前記生成されたアドレス情報を二次元コードに変換するステップと、前記二次元コードから変換されたアドレス情報に基づいて、携帯端末からアクセスがあったときは、携帯端末からの前記アドレス情報に反映されている認証データを基に認証を行うステップと、を、さらに含む前項９に記載の画像形成処理方法。
（１２）前記二次元コードはＱＲコードである前項９に記載の画像形成処理方法。
【発明の効果】
【００１１】
前項（１）に記載の発明によれば、画像形成装置のアドレス情報を変換した二次元コードが画像形成装置から出力される。一方、携帯端末は撮影手段を有し、この撮影手段により前記出力された二次元コードの画像を撮影し、撮影された二次元コードをアドレス情報に逆変換する。そして、逆変換されたアドレス情報に基づいて、画像形成装置にアクセスし、ジョブを送信する。このジョブを受信した画像形成装置は、ジョブを実行する。
【００１２】
このように、この画像形成システムによれば、ユーザは画像形成装置から出力される二次元コードを携帯端末で撮影すれば、自動的にアドレス情報に逆変換されるから、このアドレス情報に基づいてアクセスすれば良い。このため、ユーザが画像形成装置のアドレスを手動入力する必要はなくなり、その結果、入力ミスもなくなるうえ、簡易な操作で携帯端末から画像形成装置にジョブの実行を指示することができる。
【００１３】
しかも、人間の目には可読不可能な二次元コードでアドレスを表現できるから、複雑なアドレスをも設定することができる。
【００１４】
前項（２）に記載の発明によれば、二次元コードは画像形成装置の表示手段に表示されるから、ユーザはこの表示された二次元コードを容易に撮影することができる。
【００１５】
前項（３）に記載の発明によれば、画像形成装置でユーザ認証が行われると、ユーザの認証データが反映されたアドレス情報が生成されるとともに、生成されたアドレス情報が二次元コードに変換されて出力される。また、ユーザが、前記二次元コードから逆変換されたアドレス情報に基づいて、画像形成装置にアクセスすると、画像形成装置は、携帯端末からの前記アドレス情報に反映されている認証データを基に認証を行う。
【００１６】
このように、この発明によれば、携帯端末からアクセスしたユーザの認証を行うことができるから、セキュリティを確保することができる。
【００１７】
前項（４）に記載の発明によれば、ＱＲコードを用いることにより、簡易な操作で携帯端末から画像形成装置にジョブの実行指示が可能となる。
【００１８】
前項（５）に記載の発明によれば、ユーザが画像形成装置のアドレスを手動入力することなく、簡易な操作で携帯端末からのジョブの実行指示が可能となる画像形成システムに好適に用いられる画像形成装置となしうる。
【００１９】
前項（６）に記載の発明によれば、二次元コードの画像の撮影をより簡単に行うことができる。
【００２０】
前項（７）に記載の発明によれば、携帯端末からアクセスしたユーザの認証を行うことができるから、セキュリティを確保することができる画像形成装置となしうる。
【００２１】
前項（８）に記載の発明によれば、ＱＲコードを用いることにより、簡易な操作で携帯端末からのジョブの実行指示が可能となる。
【００２２】
前項（９）に記載の発明によれば、ユーザが画像形成装置のアドレスを手動入力することなく、簡易な操作で携帯端末からのジョブの実行指示が可能となる。
【００２３】
前項（１０）に記載の発明によれば、二次元コードの画像の撮影をより簡単に行うことができる。
【００２４】
前項（１１）に記載の発明によれば、携帯端末からアクセスしたユーザの認証を行うことができるから、セキュリティを確保することができる。
【００２５】
前項（１２）に記載の発明によれば、ＱＲコードを用いることにより、簡易な操作で携帯端末からのジョブの実行指示が可能となる。
【発明を実施するための最良の形態】
【００２６】
以下、この発明の一実施形態を図面に基づいて説明する。
【００２７】
図１は、この発明の一実施形態に係る画像形成システムの構成図である。
【００２８】
この画像形成システムは、画像形成装置１と携帯端末３とからなる。なお、画像形成装置１はネットワーク４に接続され、端末装置としてのパーソナルコンピュータ２との間で、ネットワーク４を介してデータの送受を行い得る。
【００２９】
前記画像形成装置１は、この実施形態ではプリンタが用いられている。プリンタは、単独機能のプリンタであっても良いし、プリンタ機能の他に、他の機能、例えばコピー機能、ファクシミリ機能、スキャナ機能などを有する複合機であるＭＦＰ（Multi Function Peripherals）であっても良い。
【００３０】
画像形成装置１の要部の機能的な構成を図２に示す。この画像形成装置１は、認証データ管理部１０と、記憶装置１１と、二次元コード生成モジュール１２と、表示装置１３と、表示装置管理部１４と、プリンタエンジン１５と、プリンタコントローラ１６と、プリンタエンジンインターフェイス（図面ではインターフェイスをＩ／Ｆと記している）１７と、ネットワークインターフェイス１８と、ネットワークインターフェイス管理部１９等を備えている。
【００３１】
前記認証データ管理部１０は、ユーザの認証データの照合、追加、削除など、認証データの管理を行うものである。
【００３２】
記憶装置１１は、ハードディスク及びＲＡＭを備え、ユーザの認証データや、現在ログインしているユーザのログイン情報をテーブルとして記憶すると共に、二次元コード生成モジュール１２で生成された二次元コードであるＱＲコードや、その他のデータを記憶する。
【００３３】
２次元コード生成モジュール１２は、ユーザの認証データを反映したプリンタのアドレス情報であるＵＲＩ（Uniform Resource Identifier）ないしＵＲＬを生成すると共に、生成したアドレス情報を二次元コードであるＱＲコードに変換する。変換されたＱＲコードはビットマップデータとして取り扱われる。この実施形態では、目的別に複数のアドレス情報を生成し、その中からユーザが選択したアドレス情報をＱＲコードに変換する。アドレス情報は、内部的に仮想的なディレクトリ情報として扱われる。
【００３４】
表示装置１３は、ユーザの認証データの入力画面や、２次元コード生成モジュール１２で生成されたアドレス情報や、変換されたＱＲコードを表示するほか、プリンタ１のモードや状態を表示する。
【００３５】
表示装置管理部１４は表示装置１４を管理するものである。
【００３６】
プリンタエンジン１５は、パーソナルコンピュータ２や携帯端末３から送信されてきたプリントジョブのデータを用紙に印刷するものであり、ジョブ実行手段として機能する。
【００３７】
プリンタコントローラ１６は、プリンタエンジンインターフェイス１７を介してプリンタエンジン１５を制御する。
【００３８】
ネットワークインターフェイス１８は、パーソナルコンピュータ２や携帯端末３と通信を行い、データの送受を行う。この実施形態では、汎用的なＨＴＴＰ（HyperText Transfer Protocol）でデータを受信することが可能である。例えば、プリンタコントローラ１６がＰＤＦ（Portable Document Format）ファイルを理解できるものとなされており、ＰＤＦファイルを直接受信可能である。また、ＨＴＴＰの上位プロトコルであるＩＰＰ（Internet Printing Protocol）を利用して印刷データを受信できる。
【００３９】
ネットワークインターフェイス管理部１９は、ネットワークインターフェイス１９を管理する。このネットワークインターフェイス１９は、ＣＧＩ（Common Gateway Interface ）を備え、ネットワークポートをＨＴＴＰプロトコルで受信すると、ＣＧＩはアドレス情報を解析し、どのような処理を行うかを動的に決定する。通常はＨＴＴＰプロトコル用のデフォルトである８０番ポートを使用し、８０番ポートを管理するネットワークインターフェイス管理部１９で、アドレス情報に従って処理を変えることができる。
【００４０】
前記携帯端末３は、例えば携帯電話からなる。なお、携帯端末は携帯電話の他、ＰＤＡ（Personal Digital Assistance）やノートパソコン等であっても良い。
【００４１】
図３は、携帯端末３の要部の機能的な構成を示すブロック図である。
【００４２】
携帯端末３は、撮影部３１、表示装置３２，表示装置管理部３３、データ解析部３４、ネットワークインターフェイス３５、ネットワークインターフェイス管理部３６、記憶装置３７等を備えている。
【００４３】
前記撮影部３１は、撮影カメラを備え、プリンタ１の表示装置１３に表示されたＱＲコードを撮影できるようになっている。
【００４４】
表示装置３２は、撮影部３１により撮影された画像データや、その他のデータを表示し、表示装置管理部３３は、表示装置３２を管理・制御する。
【００４５】
データ解析部３４は、撮影部３１により撮影されたＱＲコードを元のアドレス情報に逆変換するものである。逆変換に用いられるソフトウェアは、予め携帯端末３に組み込まれていても良いし、インターネット等を介してダウンロードしても良い。
【００４６】
ネットワークインターフェイス３５は、ネットワーク４を介してプリンタ１やパーソナルコンピュータ２と通信を行い、データの送受を行う。ネットワークインターフェイス管理部３６は、ネットワークインターフェイス３５を管理する。
【００４７】
記憶装置３７は、データ解析部３４でＱＲコードから逆変換されたアドレス情報を記憶したり、その他のデータを記憶する。
【００４８】
次に、図１に示した画像形成システムの全体の動作を、図４を用いて説明する。
【００４９】
まず、ユーザは、画像形成装置１に対して認証データを入力する（矢印ａ）。認証データの入力は、図５（Ａ）に示すように、画像形成装置１の表示装置１３に表示された認証データ入力画面に、ユーザ名及びパスワードを入力することにより行われる。
【００５０】
入力された認証データは、認証データ管理部１０で、予め記憶装置１１に記憶されているテーブルで比較照合される。
【００５１】
認証が認められると、携帯端末３からのジョブの実行指示を行うためのアドレス情報を要求するか否かの選択キーが表示装置１３に表示される（図４の矢印ｂ）。
【００５２】
ユーザが、アドレス情報を要求すると（図４の矢印ｃ）、二次元コード生成モジュール１２は、認証データを反映した仮想アドレス情報を生成する。このアドレス情報は、認証データと組み合わせていろいろなフォームで変化させることができる。例えば、ベースとなるアドレスが、
ｈｔｔｐ／／（プリンタのアドレス）／Ｐｒｉｎｔ ＵＲＬ
であった場合に、
ｈｔｔｐ／／（プリンタのアドレス）／Ｐｒｉｎｔ ＵＲＬ／（ユーザ名）／（ユーザパスワード）
の仮想ディレクトリを用意する。アドレスの変化のさせ方は、これに限定されることはなく、ベースとなるアドレスを変化させたり、ＣＧＩパラメータを付加して変化させることも考えられる。
【００５３】
この実施形態では、プリント用のアドレスだけでなく、携帯端末の電話番号の短縮登録や、ファイルのアップロード等、目的に応じた複数のアドレスを生成する。そして、生成したアドレスを、図５（Ｂ）に示すように表示装置１３に表示し、ユーザに選択させる。勿論、プリントジョブの実行用のアドレスのみを生成するものとしても良い。
【００５４】
ユーザが例えばプリントジョブ実行用のアドレス情報を選択すると、二次元コード生成モジュール１２は、そのアドレス情報をＱＲコードに変換し、図５（Ｃ）に示すように、変換されたＱＲコード５を表示装置１３に表示する（図４のｄ）。
【００５５】
ユーザは携帯端末３の撮影部３１により、表示されたＱＲコード５を撮影する（図４の矢印ｅ）。撮影されたＱＲコードは、携帯端末３のデータ解析部３４で解析され、アドレス情報に逆変換される。
【００５６】
この逆変換されたアドレス情報に示されるアドレスに、携帯端末３からアクセスすると（図４の矢印ｇ）、画像形成装置１では、受信したアドレス情報をＣＧＩ１９１で解析し、その処理内容を把握すると共に、アドレス情報に含まれる認証データを認証データ管理部１０で照合することにより、認証を行う。
【００５７】
認証に成功した場合は、携帯端末３と画像形成装置１との間でデータの送受信が行われ（図４の矢印ｇ）、画像形成装置１及び携帯端末３のそれぞれでデータ処理が行われる（図４の矢印ｉ、ｊ）。これにより、携帯端末３から送信したプリントデータが画像形成装置１でプリントされる。
【００５８】
ジョブの実行が終了すると、画像形成装置１で作成されたアドレス情報や二次元コードは破棄される。従って、画像形成装置１は認証セッション毎に許可するアドレス情報を一時的に保持するだけでよい。
【００５９】
このように、この実施形態では、生成されたアドレス情報が二次元コードに変換されて画像形成装置１の表示装置１３に表示される。ユーザが、携帯端末３により、表示された二次元コードを撮影すると、携帯端末３の内部で自動的に元のアドレス情報に逆変換される。そして、得られたアドレスにアクセスして、携帯端末３からジョブを発行すると、画像形成装置１によりプリントジョブが実行される。従って、ユーザは画像形成装置１のアドレスを手動入力する必要はなくなるから、入力ミスもなく、簡易な操作で携帯端末３から画像形成装置１にジョブの実行を指示することができる。
【００６０】
しかも、二次元コードにはユーザの認証データが反映されているから、携帯端末３からアクセスしたユーザの認証をも併せて行うことができ、充分なセキュリティを確保することができる。
【００６１】
図６（Ａ）は、画像形成装置１で行われる二次元コード生成処理を示すフローチャート、図６（Ｂ）は、携帯端末３からアクセスがあったときの処理を示すフローチャートである。
【００６２】
図６（Ａ）において、まずステップＳ１１で、ユーザ認証を受け付ける。認証に失敗した場合は、そのままステップＳ１１にとどまる。
【００６３】
認証が成功すると、ステップＳ１２で、そのログイン済みユーザを記憶装置１１の管理テーブルに登録する。
【００６４】
次いで、ステップＳ１３で、ユーザ情報（認証データ）を反映させて、アクセスを許可するアドレス情報を生成したのち、ステップＳ１４でアドレス情報をＱＲコードに変換する。なお、目的に応じた複数のアドレス情報を生成した場合は、ユーザが選択したアドレス情報をＱＲコードに変換する。
【００６５】
そして、ステップＳ１５で、変換した二次元コードを表示装置１３に表示して、本処理を終了する。
【００６６】
一方、図６（Ｂ）のステップＳ２１で、携帯端末３から前記アドレスにアクセスがあったときは、ステップＳ２２で、アドレス情報から認証データを抜き出し、ステップＳ２３で記憶装置１１の管理テーブルと照合する。
【００６７】
ステップＳ２４で照合の結果、正規ユーザであれば（ステップＳ２４でＹＥＳ）、ジョブの受付を許可し、ステップＳ２５で、携帯端末３とデータの送受信を行い、ステップＳ２６で、送信されてきたデータをプリントして、本処理を終了する。一方、正規ユーザでなければ（ステップＳ２４でＮＯ）、ステップＳ２７で、エラー画面を表示装置１３に表示して、本処理を終了する。
【００６８】
以上、本発明の一実施形態を説明したが、本発明は上記実施形態に限定されることはない。
【００６９】
例えば、上記実施形態では、携帯端末３から画像形成装置１へプリントジョブを送信するものとしたが、画像形成装置１がファクシミリ機能を有する場合には、ファクシミリ送信ジョブを送信して、画像形成装置１にファクシミリ送信を実行させるものとしても良い。また、ファクシミリ送信用のアドレス情報と、プリント用のアドレス情報を生成して、ユーザに選択させる構成としても良い。
【００７０】
また、アドレス情報にユーザの認証データを反映させ、携帯端末３からアクセスがあったときにユーザ認証を行う実施形態を示したが、アドレス情報はユーザ認証が反映されていない固有のものであってもよい。この場合は、二次元コードを撮影した不特定多数のユーザが、画像形成装置１を使用できることとなる。
【００７１】
また、アドレス情報を変換した二次元コードを表示装置１３に表示させるものとしたが、ウェブ頁上に二次元コードを出力させても良いし、プリント出力させても良いし、要はユーザが二次元コードを携帯端末３で撮影できる態様で出力すればよい。
【００７２】
また、二次元コードとしてＱＲコードを示したが、ＰＤＦ４１７、Ｍａｘｉコード、Ｄａｔａｍａｔｒｉｘなど他の二次元コードを使用しても良い。
【図面の簡単な説明】
【００７３】
【図１】この発明の一実施形態に係る画像形成システムの構成図である。
【図２】画像形成装置の要部の機能構成図である。
【図３】携帯端末の要部の機能構成図である。
【図４】図１のシステムの全体的な処理の流れを説明するための説明図である。
【図５】画像形成装置における表示装置の表示画面を示す図である。
【図６】画像形成装置で行われる二次元コード生成処理、及び携帯端末からアクセスがあったときの処理を示すフローチャートである。
【符号の説明】
【００７４】
１        画像形成装置
３        携帯端末
４        ネットワーク
５        二次元コード
１０      認証データ管理部（認証手段）
１１      記憶装置
１２      二次元生成モジュール
１３      表示装置（二次元コード出力手段）
１５      プリンタエンジン（ジョブ実行手段）
１８      ネットワークインターフェイス
１９      ネットワークインターフェイス管理部
１９１    ＣＧＩ
３１      撮影部
３４      データ解析部（アドレス変換手段）
３５      ネットワークインターフェイス（通信手段）
【図１】
2007034443.tif 000003
【図２】
2007034443.tif 000004
【図３】
2007034443.tif 000005
【図４】
2007034443.tif 000006
【図５】
2007034443.tif 000007
【図６】
2007034443.tif 000008